(57)【要約】【課題】残像の発生自体を抑制することにより、指針部の回動移動を滑らかに表示できる車両用表示装置を提供する。【解決方法】画像表示装置１と、この画像表示装置１に指標部１１とこの指標部１１を回動指示する指針部１２とこれら指標部１１及び指針部１２の背景となる背景部１３とでなるアナログ式計器画像１０を表示させる制御手段３を備えた車両用表示装置であって、指針部１２が背景部１３との境界部に基幹領域１２１の色から背景部１３の色へと徐々に変化するグラデーション領域１２２を有する。【選択図】図３
2010071907.tif 000002
【特許請求の範囲】
【請求項１】
画像表示装置と、この画像表示装置に指標部とこの指標部を回動指示する指針部とこれら指標部及び指針部の背景となる背景部とでなるアナログ式計器画像を表示させる制御手段を備えた車両用表示装置であって、前記指針部が前記背景部との境界部に前記指針部の色から前記背景部の色へと徐々に変化するグラデーション領域を有することを特徴とする車両用表示装置。
【請求項２】
前記指標部に対応する前記指針部の所定箇所に前記グラデーション領域の幅が前記所定箇所以外の箇所よりも狭い幅狭部を設けるか、あるいは前記所定箇所を前記グラデーション領域の無い箇所に設定してなることを特徴とする請求項１に記載の車両用表示装置。
【請求項３】
前記グラデーション領域は前記指針部の先端に向かうに従って徐々に幅狭となるように形成されることを特徴とする請求項１に記載の車両用表示装置。
【発明の詳細な説明】
【技術分野】
【０００１】
本発明は、例えば車両に搭載され、液晶表示パネル等の画像表示装置に、指標部とこの指標部を回動指示する指針部とこれら指標部及び指針の背景となる背景部とでなるアナログ式計器画像を表示させる車両用表示装置に関するものである。
【背景技術】
【０００２】
この種の車両用表示装置にあっては特に計測量の変化量が大きい場合、指針の回動動作がステップ状となることから、指針のぼやけた残像が見えてしまい、指針の回動動作の円滑化を実現できないという問題点があった。
【０００３】
このような問題点に対処するものとして例えば下記特許文献１に記載されているものが知られている。この車両用表示装置は、計測量に応じて回動する指針部を画像表示するにあたり、指針の影を表示することで、残像として視認される指針を隠し、観察者に一度に多くの指針が見えなくなるようにしたものである。
【特許文献１】特開２００３−２６２５４２号公報
【発明の開示】
【発明が解決しようとする課題】
【０００４】
しかしながら、上記特許文献１に記載の記載車両用表示装置は、指針部と一緒に影を表示するため、影を含めた指針部の画像幅が広くなってしまうため、どの指標を指示しているのか判読しづらい場合がある。また影の存在自体を煩わしく感じる場合もあり得る。
【０００５】
本発明は、この様な点に鑑みなされたもので、残像の発生自体を抑制することにより、指針部の回動移動を滑らかに表示できる車両用表示装置を提供することを目的とする。
【課題を解決するための手段】
【０００６】
本発明は前記課題を解決するため、画像表示装置と、この画像表示装置に指標部とこの指標部を回動指示する指針部とこれら指標部及び指針部の背景となる背景部とでなるアナログ式計器画像を表示させる制御手段を備えた車両用表示装置であって、前記指針部が前記背景部との境界部に前記指針部の色から前記背景部の色へと徐々に変化するグラデーション領域を有することを特徴とする。
【０００７】
また、本発明は、前記指標部に対応する前記指針部の所定箇所に前記グラデーション領域の幅が前記所定箇所以外の箇所よりも狭い幅狭部を設けるか、あるいは前記所定箇所を前記グラデーション領域の無い箇所に設定してなることを特徴とする。
【０００８】
また、本発明は、前記グラデーション領域は前記指針部の先端に向かうに従って徐々に幅狭となるように形成されることを特徴とする請求項１に記載の車両用表示装置。
【発明の効果】
【０００９】
本発明の請求項１記載の発明によれば、指針部の色を背景部の色に徐々に同化させることで、指針部と背景部との境界線をぼかして曖昧にすることができ、これにより残像が表示されるのを抑制し、指針部の回動移動を滑らかに表示することが可能な車両用表示装置を得ることができる。
また本発明の請求項２記載の発明によれば、指針部と指標部とが重なる場合でも、グラデーション領域によって指標部の読み取り性が低下するのを防止できる。
また本発明の請求項３記載の発明によれば、指針部の形状バランスを整え、見栄えを向上させることができる。
【発明を実施するための最良の形態】
【００１０】
以下、本発明を適用した一実施形態を添付図面に基づいて説明する。
【００１１】
図１は本実施形態による車両用表示装置のシステム構成を示すブロック図、図２はアナログ式計器画像を示す正面図、図３は図２の要部拡大図である。
図１において、車両用表示装置は、画像表示装置１と、入力手段２と、制御手段３とから主に構成されている。
【００１２】
画像表示装置１は、液晶表示（ＬＣＤ）パネルやＥＬパネルあるいはプラズマディスプレイ等のフラットパネルディスプレイからなるものである。また画像表示装置１は、後述するアナログ式計器画像を表示可能なものである。
【００１３】
入力手段２は、車両状態を検出する車両状情報検出手段からなり、本実施形態では、例えば車両情報として車速を検出するスピードセンサあるいは車両側ＥＣＵからなる。
【００１４】
制御手段３は、ＣＰＵ，ＲＯＭ，ＲＡＭ及び入出力インターフェイス等を備えたマイクロコンピュータから構成される。制御手段３は、入力手段２からの車速信号を入力し、所定の演算処理によって車速を求め、画像表示装置１に後述するアナログ式計器画像を表示させるものである。
【００１５】
次に図２、図３に基づきアナログ式計器画像表示画像について説明する。
【００１６】
アナログ式計器画像１０は、指標部１１と、指針部１２と、これら指標部１１及び指針部１２の背景部１３とからなり、指針部１２は、指標部１１と部分的に重なるように回動移動する。
【００１７】
指標部１１は、例えばプラスチック板に例えばスクリーン印刷を施すことによって設けられた実体文字板の、目盛や文字、数字等の指標部を模した画像でなる。背景部１３は、前記実体文字板の地色部（背景部）を模した画像でなる。
【００１８】
指針部１２も例えばプラスチック材に着色被膜を形成してなる実体指針を模した画像でなり、車速の変化に応じて回動移動し、指標部１２を指示することで車速を指示する。
【００１９】
ここで、指針部１２に注目すると、指針部１２は、図３に示すように、基幹領域（中央領域）１２１と、この基幹領域１２１の背景部１３との境界部に表示されるグラデーション領域１２２とで構成されている。
【００２０】
基幹領域１２１は、指針部１２の主要部（本体部）を構成するもので、例えば黒色に設定されている。
【００２１】
グラデーション領域１２２は、基幹領域１２１の色（黒）から背景部１３の色（例えば白）へと徐々に変化する色徐変領域からなり、基幹領域１２１の周囲を包囲するように表示される。
【００２２】
またグラデーション領域１２２は、指標部１１に対応する基幹領域１２１の所定箇所Ｐにおいて、その表示幅が所定箇所Ｐ以外の箇所よりも狭い幅狭部１２２ａとして設けられている。なお所定箇所Ｐはグラデーション領域１２２を廃止してグラデーション領域１２２の無いグラデーション非表示箇所に設定してもよい。
【００２３】
さらにグラデーション領域１２２は、指針部１２の先端に向かうに従って徐々に幅狭となるように形成されている。
【００２４】
以上のように、本実施形態では、画像表示装置１と、この画像表示装置１に指標部１１とこの指標部１１を回動指示する指針部１２とこれら指標部１１及び指針部１２の背景となる背景部１３とでなるアナログ式計器画像１０を表示させる制御手段３を備えた車両用表示装置であって、指針部１２が背景部１３との境界部に基幹領域１２１の色から背景部１３の色へと徐々に変化するグラデーション領域１２２を有することにより、指針部１２の色を背景部１３の色に徐々に同化させることで、指針部１２と背景部１３との境界線をぼかして曖昧にすることができ、これにより指針部１２の残像が表示されるのを抑制し、指針部１２の回動移動を滑らかに表示することができる。
【００２５】
また、実施形態では、指標部１１に対応する指針部１２の所定箇所Ｐにグラデーション領域１２２の幅が所定箇所Ｐ以外の箇所よりも狭い幅狭部１２２ａを設けたことにより、指針部１２と指標部１１とが重なる場合でも、グラデーション領域１２２によって指標部１１が隠れてしまうことにより読み取り性の低下を防止できる。
【００２６】
また、実施形態では、グラデーション領域１２２は、指針部１２の先端に向かうに従って徐々に幅狭となるように形成されることにより、指針部１２の形状バランスを整え、見栄えを向上させることができる。
【００２７】
なお本実施形態では、基幹領域１２１の色が背景部１３の色に徐々に同化するようにグラデーション領域１２２を設定したが、背景部１３に隣接する指針部１２の領域または箇所を背景部１３の色に同化させるものであれば、背景部１３の色に同化させる色は、基幹領域１２１の色に限らない。例えば指針部１２が基幹領域１２１の外周を縁取る縁取り部を有する場合、この縁取り部の色を背景部１３の色に同化させるようにグラデーション領域１２２を設定すればよい。また本実施形態では、指針部１２の色から背景部１３の色へと無段階的に同化するようにグラデーション領域１２２を設定したが、指針部１２の色から背景部１３の色へと段階的に同化するよう設定してもよい。
【図面の簡単な説明】
【００２８】
【図１】本発明の一実施形態による車両用表示装置のシステム構成を示すブロック図。
【図２】同形態におけるアナログ式計器画像を示す正面図。
【図３】図２の要部拡大図。
【符号の説明】
【００２９】
１      画像表示装置
２      入力手段
３      制御手段
１０    アナログ式計器画像  
１１    指標部
１２    指針部
１３    背景部
１２１  基幹領域
１２２  背景領域
１２２ａ  幅狭部
Ｐ      所定箇所
【図１】
2010071907.tif 000003
【図２】
2010071907.tif 000004
【図３】
2010071907.tif 000005